(57)【特許請求の範囲】
【請求項１】
内容物３が充填された容器１に取り付けることで、その容器１内の内容物３を噴霧するエアゾール装置用噴射装置であって、
流入側と流出側とを開閉するバルブ部５と、
前記バルブ部５を開閉し、かつバルブ部５を開いた状態に保持できる操作部６と、
前記バルブ部５の流出側と連通した噴射部７と、
前記バルブ部５の流入側と連続したデップチューブ８を備え、
前記デップチューブ８は、前記容器１の内容物３内に垂れ下がり、その内容物３が流入するチューブ２０と、該チューブ２０と絞り用孔２２を経て連通した空間部２５を形成する筒状体２１を有し、前記絞り用孔２２の流路断面積は前記チューブ２０、空間部２５の流路断面積よりも小さく、
前記空間部２５を前記バルブ５の流入側に連通し、前記容器１の内容物３がチューブ２０、絞り用孔２２、空間部２５を順次通り前記バルブ部５の流入側に流れるようにしたことを特徴とするエアゾール装置用噴射装置。
【請求項２】
前記筒状体２１はチューブ２０よりも大径で、空間部２５の流路断面積はチューブ２０の流路断面積よりも大きい請求項１記載のエアゾール装置用噴射装置。
【発明の詳細な説明】
【０００１】
【発明の属する技術分野】
この発明は、エアゾール装置の内容物を始動操作してから一定時間遅延させて噴射する機能を備えたエアゾール装置用噴射装置に関するものである。
【０００２】
【従来の技術】
従来、密閉した室内に殺虫剤等を大量に噴霧して、ゴキブリやダニ等の害虫を駆除するために、エアゾール装置が用いられている。エアゾール装置は、殺虫成分等を含む内容物が充填された容器と、この容器に設けた噴射装置を備えており、ボタンを押す等の始動操作がなされると、内容物の噴射を開始する。そして、容器が空になるまで、内容物を連続的に噴射する。
しかし、前記噴射装置では、始動操作後に直ちに内容物を噴射する機構となっているため、エアゾール装置を密閉した室内に設置して内容物を噴射する時に、始動操作を行う操作者の体に内容物が付着したり、操作者が内容物を吸い込んだりする心配があった。そこで、操作者が始動操作を行った後、直ぐには内容物の噴射を行わずに所定時間が経過してから噴射（連続噴射）を開始する遅延噴射機能を備えたエアゾール装置用噴射装置が提案されている。
【０００３】
このような遅延噴射機能を備えたエアゾール装置用噴射装置には、特公平８−２９７９２号公報や特公平５−６１９７５号公報に記載されたものが知られている。
特公平８−２９７９２号公報に記載されたものは、噴射部と連続した密閉状容器の内部に高粘度液体が充填されており、この密閉状容器に、噴射部から噴射された加圧状態にある内容物を導入する導入孔と高粘度液体を流出させる流出孔とが形成されており、この導入孔から導入される内容物によって密閉状容器内の高粘度液体を流出孔から流出させ、引き続いて内容物を流出孔から噴出させるようにしている。
特公平５−６１９７５号公報に記載されたものは、噴射装置のステムの外方に内容物の導入室を設け、この導入室とノズルの間に制御通路を形成し、この制御通路を噴射遅延用の遅延物で常時は閉止するとともに導入室への内容物の導入に伴う一定以上の昇圧によって、遅延物のよる制御通路の閉止を開放するものとしている。
【０００４】
【発明が解決しようとする課題】
しかしながら、特公平８−２９７９２号公報に記載されたものでは、前記したような導入孔及び流出孔を形成した密閉状容器を噴射部と連続して備えたものとしなければならず、そのため構成部材が増えて、噴射装置が複雑になると共に、嵩が高くなるという課題を有していた。
【０００５】
さらに、特公平５−６１９７５号公報に記載されたものでも、前記したような導入室及び制御通路を噴射装置のステムの外型に設けなければならず、そのため噴射装置が複雑になると共に、嵩が高くなるという課題を有していた。
【０００６】
そこで、この発明は上記従来の課題を解決するためになされたものであり、単純な形状で、嵩が高くなることや容器やキャップ、ボタン等の形状が規制されることがなく非常に使用し易く、低コストで製造することができるエアゾール装置用噴射装置を提供することを目的としてなされたものである。
【０００７】
【課題を解決するための手段】
本発明者らは、前記課題を解決すべく鋭意研究した結果、従来のエアゾール装置用噴射装置のディップチューブに流路断面積の小さい部分の上方に流路断面積の大きな空間部を設けることにより、内容物の噴射を遅延することができ、そうすることにより単純な形状で、嵩が高くなることや容器やキャップ、操作部等の形状が規制されることがなく非常に使用しやすく、低コストで製造することができることを見出し、本発明を完成するに到ったものである。
第１の発明は、内容物３が充填された容器１に取り付けることで、その容器１内の内容物３を噴霧するエアゾール装置用噴射装置であって、
流入側と流出側とを開閉するバルブ部５と、
前記バルブ部５を開閉し、かつバルブ部５を開いた状態に保持できる操作部６と、
前記バルブ部５の流出側と連通した噴射部７と、
前記バルブ部５の流入側と連続したデップチューブ８を備え、
前記デップチューブ８は、前記容器１の内容物３内に垂れ下がり、その内容物３が流入するチューブ２０と、該チューブ２０と絞り用孔２２を経て連通した空間部２５を形成する筒状体２１を有し、前記絞り用孔２２の流路断面積は前記チューブ２０、空間部２５の流路断面積よりも小さく、
前記空間部２５を前記バルブ５の流入側に連通し、前記容器１の内容物３がチューブ２０、絞り用孔２２、空間部２５を順次通り前記バルブ部５の流入側に流れるようにしたことを特徴とするエアゾール装置用噴射装置である。
【０００８】
第２の発明は、第１の発明において前記筒状体２１はチューブ２０よりも大径で、空間部２５の流路断面積はチューブ２０の流路断面積よりも大きいエアゾール装置用噴射装置である。
【０００９】
【作用】
第１の発明によれば、デップチューブ８を流通する容器の内容物は、チューブ２０、流路断面積の小さい絞り用孔２２を通って空間部２５に流入し、その空間部２５に満たされた後に、バルブ５を通り噴射部７から噴射されるので、そのデップチューブ８のチューブ２０に内容物が流通開始してから空間部２５内に満たされるまでに時間がかかり、その時間が始動操作してから噴射開始するまでの遅延時間となる。
よって、デップチューブ８を空間部２５を有する単純な形状とすることで良く、嵩が高くなることや容器やキャップ、操作部等の形状が規制されることがなく、非常に使用し易く、低コストで製造できるエアゾール装置用噴射装置である。
【００１０】
また、操作部６でバルブ部５を開いた状態に保持できる。
よって、一度操作することで連続して噴射する噴射装置となる。
【００１１】
【発明の実施の形態】
図１に示すように、容器１と噴射装置２でエアゾール装置を構成している。
前記容器１は耐圧性を有し、その内部にゴキブリやダニ等の害虫を駆除する殺虫成分、噴射剤等を含む内容物３が充填してある。
この容器１の上部にキャップ４が取付けてある。
【００１２】
前記噴射装置２は、容器１の上部に取付けたバルブ部５と、前記キャップ４に支持された操作部６と、この操作部６に設けた噴射部７（ノズル）と、前記バルブ部５と連続し容器１内に垂れ下がったデップチューブ８を備えている。
【００１３】
前記バルブ部５は、ハウジング下孔９とこのハウジング下孔９と連通したバルブ収納室１０を有するハウジング１１と、このハウジング１１のバルブ収納室１０に上下動自在に設けられステム孔１２を有するステム１３と、このステム１３を上方に押してステム孔１２とステム収納室１０を遮断してバルブ部５を閉じた状態とするスプリング１４を備えている。
前記ハウジング１１が容器１の上部に取付けられ、ステム１３は容器１よりも上方に突出している。
【００１４】
前記操作部６は、下面に開口した凹部１５とこの凹部１５と連通した噴孔１６を有し、この噴孔１６が噴射部７に連通している。
前記操作部６の一端部６ａはキャップ４に上下揺動自在に支承され、その凹部１５にステム１３の上部が嵌まり合っている。
前記操作部６の他端部６ｂを指で押し下げるとステム１３がスプリング１４に抗して下方に移動してステム孔１２とバルブ収納室１０を連通してバルブ部５を開き、かつ操作部６の係止片１７がキャップ４の係止受片１８に係合し、操作部６を前述の位置に保持する。
これによって、ステム１３は下方位置に保持されて容器１内の内容物３を噴射部７から噴射し続ける。
【００１５】
前記デップチューブ８はチューブ２０と、このチューブ２０の上端部に接続した筒状体２１を備え、その筒状体２１の下部に絞り用孔２２を経て下接続孔２３を有すると共に、上部に上接続孔２４を有する。
前記下接続孔２３にチューブ２０の上端部が接続されている。
前記上接続孔２４に前記ハウジング１１の下部が接続してある。
【００１６】
前記筒状体２１はチューブ２０よりも大径で、チューブ２０の上部にチューブ２０の流路断面積Ａｍｍ２よりも大きな流路断面積Ｂｍｍ２の空間部２５を形成している。
前記絞り用孔２２の流路断面積Ｃｍｍ２はチューブ２０の流路断面積Ａｍｍ２よりも小さい。
前記絞り用孔２２は、容器１内に充填した内容物３の液面３ａよりも上方に位置している。
【００１７】
前記バルブ部５が閉じている時には空間部２５とステム孔１２が連通しないので容器１の内容物３は絞り用孔２２を通って空間部２５に流入しない。
前述のように操作部６を始動操作してバルブ部５を開くと、空間部２５とステム孔１２が連通する。
容器１の内容物３はチューブ２０、絞り用孔２２を通って空間部２５内に流入する。この流入する内容物３の流速は流路断面積Ｂｍｍ２＞流路断面積Ｃｍｍ２であることによって抑制されるので、その空間部２５に内容物３がゆっくりと時間をかけて満たされる。
前記空間部２５に内容物３が満たされた後、バルブ部５を通って噴射部７から噴射される。
【００１８】
このようであるから、操作部６を始動操作してから空間部２５内に内容物３が満たされるまでの時間が経過した後に噴射開始する。
つまり、前記時間が遅延時間となる。
例えば、空間部２５の流路断面積Ｂｍｍ２が３１４ｍｍ２で容積が約１４ｍｌ、絞り用孔２２の流路断面積Ｃｍｍ２が３．１４ｍｍ２とした場合に、空間部２５に内容物が満たされる時間は約７秒で、操作部６を始動操作してから噴射開始するまでの遅延時間は約７秒である。
【００１９】
図２（ａ）に示すように、チューブ２０と空間部２５の流路断面積を同一としても良い。
図２（ｂ）に示すように、筒状体２１の上下中間に絞り用孔２２を有する隔壁２６を設けて第１・第２空間部２５−１、２５−２を有するようにしても良い。
【００２０】
【発明の効果】
請求項１に係る発明によれば、デップチューブ８を流通する容器の内容物は、チューブ２０、流路断面積の小さい絞り用孔２２を通って空間部２５に流入し、その空間部２５に満たされた後に、バルブ５を通り噴射部７から噴射されるので、そのデップチューブ８のチューブ２０に内容物が流通開始してから空間部２５内に満たされるまでに時間がかかり、その時間が始動操作してから噴射開始するまでの遅延時間となる。
よって、デップチューブ８を空間部２５を有する単純な形状とすることで良く、嵩が高くなることや容器やキャップ、操作部等の形状が規制されることがなく、非常に使用し易く、低コストで製造できるエアゾール装置用噴射装置である。
【００２１】
また、操作部６でバルブ部５を開いた状態に保持できる。
よって、一度操作することで連続して噴射する噴射装置となる。
【図面の簡単な説明】
【図１】エアゾール装置の断面図である。
【図２】デップチューブの他の実施の形態を示す断面図である。
【符号の説明】
１…容器、３…内容物、４…キャップ、５…バルブ部、６…操作部、７…噴射部、８…デップチューブ、２０…チューブ、２１…筒状体、２２…絞り用孔、２５…空間部
【図１】
0004702864.tif 000002
【図２】
0004702864.tif 000003